(57)【要約】【課題】  極めて簡単な手法によりＣＭスキップと頭出しとを実現する。【解決手段】  コントローラ１４は、再生動作時にＣＭをスキップするＣＭスキップが入力部１８から指示されると、ＲＡＭ１４ｂに記憶されているモード変化記録位置（アドレス）に基づき、ＣＭスキップが指示された時点の記録位置からＣＭの通常放送時間である３分先までの間にモード変化時の記録位置が有るか否かを確認し、モード変化時の記録位置が有る場合には、その記録位置までＣＭスキップを行う。また、コントローラ１４は、再生動作時に頭出しが指示されると、ＲＡＭ１４ｂに記憶されている基準時刻記録位置（アドレス）に基づき、頭出しが指示された時点の記録位置から最も近い基準時刻記録位置までスキップして通常再生動作を継続する。【選択図】  図１
2006135524.tif 000002
【特許請求の範囲】
【請求項１】
本編とＣＭからなる番組の映像信号及び音声信号をデジタル化して記録媒体に記録するとともに、記録した映像信号及び音声信号を再生して出力する情報記録再生装置において、
前記音声信号のモード変化を検出するモード検出手段と、
現在時刻を計測する時計手段と、
記録動作時において、前記モード検出手段により検出される音声信号のモード変化時の記録位置を記憶するモード変化位置記憶手段と、
記録動作時において、前記時計手段による現在時刻が予め設定された各時の０分、１５分、３０分、４５分である基準時刻となったときの記録位置を記憶する基準時刻記録位置記憶手段と、
前記記録媒体に記録された番組情報の再生を制御する再生制御手段とを備えており、
前記再生制御手段は、再生動作時にＣＭをスキップするＣＭスキップが指示されると、前記モード変化位置記憶手段に記憶されている記録位置に基づき、ＣＭスキップが指示された時点の位置からＣＭの通常放送時間である所定時間先までの間に前記モード変化時の記録位置が有るか否かを確認し、モード変化時の記録位置が有る場合には、その記録位置までＣＭスキップを行う一方、前記所定時間先までの間に前記モード変化時の記録位置が無い場合には、予め設定されている一定時間のＣＭスキップを行い、また、再生動作時に頭出しが指示されると、前記基準時刻記録位置記憶手段に記憶されている基準時刻記録位置に基づき、頭出しが指示された時点の位置から最も近い基準時刻記録位置までスキップして通常再生動作を継続する頭出しを行うことを特徴とする情報記録再生装置。
【請求項２】
本編とＣＭからなる番組の映像信号及び音声信号をデジタル化して記録媒体に記録するとともに、記録した映像信号及び音声信号を再生して出力する情報記録再生装置において、
前記音声信号のモード変化を検出するモード検出手段と、
記録動作時において、前記モード検出手段により検出される音声信号のモード変化時の記録位置を記憶するモード変化位置記憶手段と、
前記記録媒体に記録された番組情報の再生を制御する再生制御手段とを備えており、
前記再生制御手段は、再生動作時にＣＭをスキップするＣＭスキップが指示されると、前記モード変化位置記憶手段に記憶されている記録位置に基づき、ＣＭスキップが指示された時点の位置からＣＭの通常放送時間である所定時間先までの間に前記モード変化時の記録位置が有るか否かを確認し、モード変化時の記録位置が有る場合には、その記録位置までＣＭスキップを行う一方、前記所定時間先までの間に前記モード変化時の記録位置が無い場合には、予め設定されている一定時間のＣＭスキップを行うことを特徴とする情報記録再生装置。
【請求項３】
本編とＣＭからなる番組の映像信号及び音声信号をデジタル化して記録媒体に記録するとともに、記録した映像信号及び音声信号を再生して出力する情報記録再生装置において、
前記音声信号のモード変化を検出するモード検出手段と、
記録動作時において、前記モード検出手段により検出される音声信号のモード変化時の記録位置を記憶するモード変化位置記憶手段と、
前記記録媒体に記録された番組情報の再生を制御する再生制御手段とを備えており、
前記再生制御手段は、再生動作時にＣＭをスキップするＣＭスキップモードが予め設定されている場合には、前記モード検出手段により音声信号のモード変化を常に監視し、モードが変化した場合には、前記モード変化位置記憶手段に記憶されている記録位置に基づき、その変化した時点の位置からＣＭの通常放送時間である所定時間先までの間に前記モード変化時の記録位置が有るか否かを確認し、モード変化時の記録位置が有る場合には、その記録位置までＣＭスキップを行う一方、前記所定時間先までの間に前記モード変化時の記録位置が無い場合には、そのまま再生動作を継続することを特徴とする情報記録再生装置。
【請求項４】
本編とＣＭからなる番組の映像信号及び音声信号をデジタル化して記録媒体に記録するとともに、記録した映像信号及び音声信号を再生して出力する情報記録再生装置において、
現在時刻を計測する時計手段と、
記録動作時において、前記時計手段による現在時刻が予め設定された基準時刻となったときの記録位置を記憶する基準時刻記録位置記憶手段と、
前記記録媒体に記録された番組情報の再生を制御する再生制御手段とを備えており、
前記再生制御手段は、再生動作時に頭出しが指示されると、前記基準時刻記録位置記憶手段に記憶されている基準時刻記録位置に基づき、頭出しが指示された時点の位置から最も近い基準時刻記録位置までスキップして通常再生動作を継続する頭出しを行うことを特徴とする情報記録再生装置。
【請求項５】
前記基準時刻が、各時の０分、１５分、３０分、４５分であることを特徴とする請求項４に記載の情報記録再生装置。
【発明の詳細な説明】
【技術分野】
【０００１】
本発明は、本編とＣＭからなる番組の映像信号及び音声信号をデジタル化して記録媒体に記録するとともに、記録した映像信号及び音声信号を再生して出力する情報記録再生装置に関する。
【背景技術】
【０００２】
番組の映像信号及び音声信号をデジタル化して記録媒体に記録するための情報記録再生装置のユーザは、記録された番組を視聴する際、一般に、本編に挿入されたコマーシャルメッセージ（ＣＭ）が再生される時には早送り操作を行ない、ＣＭを飛ばして視聴する傾向がある。
【０００３】
ところで、ＣＭカット機能を有する多くの情報記録再生装置では、本編の音声信号の形態とＣＭの音声信号の形態が異なる場合に、これらの形態の違いで本編とＣＭとを識別している。具体的には、多くのＣＭがステレオモードで制作されているのを利用し、モノラルモードや二カ国語モードで制作された本編と識別している（例えば、特許文献１参照）。しかしこの方式では、本編の音声がステレオモードで制作されている場合には本編とＣＭとの識別ができないという問題が生じる。
【０００４】
そこで、このような問題を解消するため、放送される音声モードの如何に関わらず、番組本編とともに放送されるＣＭ部を記録媒体に記録しておき、再生時に検出されるＣＭ部であるとされる番組モード情報に基づいてＣＭ部をスキップして再生を行なう機能を備えた映像記録再生装置が提案されている（例えば、特許文献２参照）。
【０００５】
また、頭出し再生においては、録画開始位置を検索する機能がすでに存在しているが、このような機能とは別に、頭出しが指示されると、時刻の区切れを探し出し、その区切れ部分から再生を行なう番組信号記録再生装置が提案されている（例えば、特許文献３参照）。
【特許文献１】特開２００３−３１９３１４号公報
【特許文献２】特開２００１−３２０６７４号公報
【特許文献３】特開２００２−１００１６２号公報
【発明の開示】
【発明が解決しようとする課題】
【０００６】
上記特許文献２の映像記録再生装置では、放送される音声モードの如何に関わらず、ＣＭ部をスキップすることができるが、そのためには番組モード情報という新たな情報を作成する必要があり、処理が煩雑になるといった問題があった。
【０００７】
また、上記特許文献３の装置では、現在時刻（例えば、１２時１０分）の再生位置から、００分、３０分といった直近の時刻の区切り（例えば１２時００分）まで飛んで頭出し再生を行なうようになっているが、これを実現するために、上記特許文献３では、番組信号に日付情報や現在時刻情報を付加して記録媒体に記録する必要があるため、番組信号自体のデータ容量が増加してしまい、ひいては記録媒体への番組信号の記録時間にも影響を与えるといった問題があった。
【０００８】
本発明はかかる問題点を解決すべく創案されたもので、その目的は、極めて簡単な手法により上記のＣＭスキップと頭出しとを実現することのできる情報記録再生装置を提供することにある。
【課題を解決するための手段】
【０００９】
上記課題を解決するため、本発明の情報記録再生装置は、本編とＣＭからなる番組の映像信号及び音声信号をデジタル化して記録媒体に記録するとともに、記録した映像信号及び音声信号を再生して出力する情報記録再生装置において、前記音声信号モード変化を検出するモード検出手段と、記録動作時において、前記モード検出手段により検出される音声信号のモード変化時の記録位置を記憶するモード変化位置記憶手段と、前記記録媒体に記録された番組情報の再生を制御する再生制御手段とを備えており、前記再生制御手段は、再生動作時にＣＭをスキップするＣＭスキップが指示されると、前記モード変化位置記憶手段に記憶されている記録位置に基づき、ＣＭスキップが指示された時点の位置からＣＭの通常放送時間である所定時間先までの間に前記モード変化時の記録位置が有るか否かを確認し、モード変化時の記録位置が有る場合には、その記録位置までＣＭスキップを行う一方、前記所定時間先までの間に前記モード変化時の記録位置が無い場合には、予め設定されている一定時間のＣＭスキップを行うことを特徴とする。
【００１０】
本発明によれば、モード変化位置記憶手段には、音声信号のモード変化時(具体的には、ステレオモードからモノラルモードへまたはモノラルモードからステレオモードへのモード変化、ステレオモードから二カ国語モードへまたは二カ国語モードからステレオモードへのモード変化、モノラルモードから二カ国語モードへまたは二カ国語モードからモノラルモードへのモード変化等)の記録位置が記憶される。つまり、その音声信号が本編の音声信号であるのかＣＭの音声信号であるのかを問わず、音声信号の全ての変化点の記録位置を記憶している。
【００１１】
ここで、ＣＭ放送は、３分以上連続して放送されることはまれである。そこで、本発明では、再生制御手段は、再生動作時にＣＭをスキップするＣＭスキップが指示されると、モード変化位置記憶手段に記憶されている記録位置に基づき、ＣＭスキップが指示された時点の位置からＣＭの通常放送時間である所定時間（例えば、３分）先までの間に次のモード変化時の記録位置が有るか否かを確認し、モード変化時の記録位置が有る場合には、その記録位置までＣＭスキップを行う。これにより、ＣＭを確実にスキップすることができる。一方、所定時間（３分）先までの間にモード変化時の記録位置が無い場合には、従来通り予め設定されている一定時間（通常は３０秒に設定されている）のＣＭスキップを行なう。
【００１２】
一方、再生制御手段は、再生動作時にＣＭをスキップするＣＭスキップモードが予め設定されている場合には、モード検出手段により音声信号のモード変化を常に監視し、モードが変化した場合には、モード変化位置記憶手段に記憶されている記録位置に基づき、その変化した時点の位置からＣＭの通常放送時間である所定時間（３分）先までの間にモード変化時の記録位置が有るか否かを確認し、モード変化時の記録位置が有る場合には、その記録位置までＣＭスキップを行う。一方、所定時間（３分）先までの間にモード変化時の記録位置が無い場合には、そのまま再生動作を継続する。これにより、本編再生中においてＣＭ部分を確実にスキップすることができる。
【００１３】
また、本発明の情報記録再生装置は、本編とＣＭからなる番組の映像信号及び音声信号をデジタル化して記録媒体に記録するとともに、記録した映像信号及び音声信号を再生して出力する情報記録再生装置において、現在時刻を計測する時計手段と、記録動作時において、前記時計手段による現在時刻が予め設定された基準時刻となったときの記録位置を記憶する基準時刻記録位置記憶手段と、前記記録媒体に記録された番組情報の再生を制御する再生制御手段とを備えており、前記再生制御手段は、再生動作時に頭出しが指示されると、前記基準時刻記録位置記憶手段に記憶されている基準時刻記録位置に基づき、頭出しが指示された時点の位置から最も近い基準時刻記録位置までスキップして通常再生動作を継続する頭出しを行うことを特徴とする。この場合、通常、番組は各時の０分か３０分から始まる場合が多いが、その他にも１５分番組では１５分や４５分から始まる場合もあるため、前記基準時刻は、０分、１５分、３０分、４５分としている。
【００１４】
これにより、例えば記録時刻が１１時５０分の記録位置を再生中に頭出しが指示されると、頭出しが指示された時点の記録位置から最も近い基準時刻の記録位置（すなわち、１２時００分の記録位置）まで、時間にして１０分スキップして通常再生動作を継続する。つまり、本発明では、頭出しの場合、最長で１５分スキップして再生動作を開始することになる。
【発明の効果】
【００１５】
本発明の情報記録再生装置によれば、音声信号のモード変化時の記録位置のみを記憶しておき、この記録位置の時間間隔とＣＭの通常放送時間である所定時間（３分）との比較のみの簡単な手法でＣＭ部分を確実にスキップすることができる。
【００１６】
また、本発明の情報記録再生装置によれば、記録動作時の基準時刻の記録位置のみを記憶しておき、頭出し動作時には、直近の基準時刻の記録位置までスキップして再生動作を開始するといった簡単な手法で頭出しを行なうことができる。
【発明を実施するための最良の形態】
【００１７】
以下、本発明の実施の形態について、図面を参照して説明する。
【００１８】
図１は、本発明の情報記録再生装置の一実施形態であるＨＤレコーダ１の電気的構成を示すブロック図である。ただし、本発明の情報記録再生装置は、このようなＨＤレコーダに限定されるものではなく、例えばＨＤＤ内蔵のＤＶＤレコーダ等を含む一般のデジタル映像機器や光ディスク装置等に適用可能なものである。
【００１９】
図１に示すＨＤレコーダ１は、受信部１１、入力制御部１２、Ａ／Ｄ変換部１３、コントローラ１４、ＨＤドライブ１５、Ｄ／Ａ変換部１６、出力制御部１７、入力部１８、インターフェース部１９、現在時刻を計測する時計部２０、及びモード検出部２１等を備えて構成される。
【００２０】
入力部１８は、スイッチ、ボタン或いはリモコン等から構成され、ユーザの操作内容に応じた信号をコントローラ１４へ出力するものである。これにより、ユーザは、種々のデータをＨＤレコーダ１に入力することができ、ＨＤレコーダ１を操作して使用することができる。
【００２１】
インターフェース部１９は、例えばインターネット等のＨＤレコーダ１外部の構成要素とコントローラ１４とを接続するための構成要素であり、ＨＤレコーダ１外部の構成要素から取得されたデータをコントローラ１４に入力する。
【００２２】
受信部１１は、チューナや分離器を備えて構成される。受信部１１は、アンテナ６を介して番組の放送信号を受信し、この放送信号を入力制御部１２へ送信する。放送信号はアナログ信号又はデジタル信号であり、音声信号と映像信号とを含んで構成される。
【００２３】
入力制御部１２は、受信部１１で受信された放送信号から音声信号と映像信号を抽出する。Ａ／Ｄ変換部１３は、上記放送信号がアナログ信号である場合には入力制御部１２で抽出された映像信号及び音声信号をＭＰＥＧ２（Ｍｏｔｉｏｎ  ＰｉｃｔｕｒｅＥｘｐｅｒｔ  Ｇｒｏｕｐ  ２）によりエンコード（圧縮）してコントローラ２４に出力する。一方、上記放送信号がデジタル信号である場合には、映像信号及び音声信号は既にＭＰＥＧ２でエンコードされているので、これら映像信号及び音声信号をそのままコントローラ１４に送信する。
【００２４】
コントローラ１４は、ＣＰＵ１４ａ、ＲＡＭ１４ｂ、ＲＯＭ１４ｃを備えて構成される。コントローラ１４は読み取り手段、認識手段、書込み手段を兼ねた構成要素であり、後述するハードディスク１５０に対する音声信号及び映像信号の読み取り、書き込みや、番組の本編やＣＭの認識を行なったり、ＨＤレコーダ１の各構成要素を制御したりする。
【００２５】
ＲＯＭ１４ｃには、ＨＤレコーダ１全体を制御するためのプログラムが格納されている。ＣＰＵ１４ａはＲＯＭ１４ｃに格納されたプログラムや入力部１８からの信号に従い、ＨＤレコーダ１の各構成要素を制御するための演算を行なう。ＲＡＭ１４ｂはＣＰＵ１４ａが演算を行なうための作業領域として作動する。
【００２６】
ＨＤドライブ１５はコントローラ１４とともに読み取り手段及び書き込み手段を形成する構成要素であり、記憶媒体であるハードディスク（ＨＤ）と、ハードディスクに記憶されている情報の読み取り、書き込みを行なうためのヘッドと、を備えて構成される。
【００２７】
Ｄ／Ａ変換部１６はハードディスクに記憶された映像信号及び音声信号を再生する際、コントローラ１４を介してこれらの信号をデコード（伸張）し、アナログ信号に変換して出力制御部１７に出力する。さらに出力制御部１７はＤ／Ａ変換部１６で変換された映像信号及び音声信号をテレビモニタや受像管（ＣＲＴ）やスピーカといった出力装置へ出力する。
【００２８】
モード検出部２１は、受信部１１で受信され入力制御部１２で抽出された音声信号のモード変化（ステレオモードからモノラルモードへまたはモノラルモードからステレオモードへのモード変化、ステレオモードから二カ国語モードへまたは二カ国語モードからステレオモードへのモード変化、モノラルモードから二カ国語モードへまたは二カ国語モードからモノラルモードへのモード変化等）を検出する。
【００２９】
上記構成において、番組の放送信号はアンテナ６、受信部１１を経て取得される。さらに入力制御部１２で番組の放送信号から映像信号及び音声信号が抽出される。抽出された番組の映像信号及び音声信号はＡ／Ｄ変換部１３、コントローラ１４及びＨＤドライブ１５を経てハードディスクに書き込まれ、記録される。
【００３０】
一方、コントローラ１４は、このような記録動作時において、モード検出部２１により検出される音声信号のモード変化時の記録位置（アドレス）をＲＡＭ１４ｂの所定の領域に記憶するとともに、時計部２０による現在時刻が予め設定された各時の０分、１５分、３０分、４５分である基準時刻となったときの記録位置（アドレス）をＲＡＭ１４ｂの所定の領域に記憶する。
【００３１】
図２は、このときの記録動作時の処理手順を示している。
【００３２】
すなわち、記録動作を開始すると、コントローラ１４は、時計部２０の計測している現在時刻を常に監視し（ステップＳ１）、現在時刻が各時の０分、１５分、３０分、４５分である基準時刻になったか否かを監視する（ステップＳ２）。そして、現在時刻が基準時刻になると（ステップＳ２でＹｅｓと判断されると）、コントローラ１４は、その時点で放送信号を記録しているハードディスク上の記録位置（アドレス）を記録先頭位置と仮定してＲＡＭ１４ｂの所定の領域に記憶（保存）する（ステップＳ３）。これと同時に、コントローラ１４は、記録動作中においてモード検出部２１からの検出信号を常に監視する（ステップＳ４）。そして、モード検出部２１が音声信号のモード変化を検出して検出信号をコントローラ１４に入力すると（ステップＳ４でＹｅｓと判断されると）、コントローラ１４はこの検出信号に基づき、その時点で放送信号を記録しているハードディスク上の記録位置（アドレス）をモード変化位置としてＲＡＭ１４ａの所定領域に記憶（保存）する（ステップＳ５）。コントローラ１４は、記録動作が終了するまで（ステップＳ６でＹｅｓと判断されるまで）、上記ステップＳ１〜ステップＳ６の処理を繰り返す。
【００３３】
次に、上記ステップＳ１〜ステップＳ６の処理を、番組の放送信号の記録の様子を示す図３を参照して具体的に説明する。
【００３４】
図３（ａ）に示すように、ハードディスク１５０に番組（１）の映像信号と音声信号とを記録しているときに、モード検出部２１により音声信号のモードの変化を検出する。そして、番組（１−１）の音声信号が例えばモノラルであり、次のＣＭ（１）の音声信号が例えばステレオであった場合には、番組（１−１）からＣＭ（１）に切り換わるとき、音声モードがステレオからモノラルに切り換わるため、モード検出部２１はこの音声信号のモード変化を検出し、検出信号をコントローラ１４に入力する。コントローラ１４は、この検出信号に基づき、その時点で放送信号を記録しているハードディスク１５０上の記録位置（アドレス）ａ１をモード変化位置としてＲＡＭ１４ａの所定領域に記憶する。同様に、ＣＭ（１）から番組（１−２）に切り換わるときも、音声モードがモノラルからステレオに切り換わるため、モード検出部２１はこの音声信号のモード変化を検出し、検出信号をコントローラ１４に入力する。コントローラ１４は、この検出信号に基づき、その時点で放送信号を記録しているハードディスク１５０上の記録位置（アドレス）ａ２をモード変化位置としてＲＡＭ１４ａの所定領域に記憶する。
【００３５】
一方、図３（ｂ）に示すように、ハードディスク１５０に番組の映像信号と音声信号とを記録しているときに、コントローラ１４は時計部２０の計測している現在時刻を常に監視し、現在時刻が例えば１２時３０分になったとき、その時点で放送信号を記録しているハードディスク１５０上の記録位置（アドレス）ｂ１を基準時刻記録位置としてＲＡＭ１４ａの所定領域に記憶する。また、ハードディスク１５０に番組の映像信号と音声信号とを記録しているときに、現在時刻が１２時４５分になったとき、その時点で放送信号を記録しているハードディスク１５０上の記録位置（アドレス）ｂ２を基準時刻記録位置としてＲＡＭ１４ａの所定領域に記憶する。さらに、ハードディスク１５０に番組の映像信号と音声信号とを記録しているときに、現在時刻が１３時００分になったとき、その時点で放送信号を記録しているハードディスク１５０上の記録位置（アドレス）ｂ３を基準時刻記録位置としてＲＡＭ１４ａの所定領域に記憶する。
【００３６】
上記のようにして、ハードディスク１５０には番組とＣＭとが順次記録されるとともに、コントローラ１４のＲＡＭ１４ｂには、モード変化記録位置のアドレス（ａ１，ａ２，・・・）と基準時刻記録位置のアドレス（ｂ１，ｂ２，・・・）とが記憶されることになる。
【００３７】
一方、コントローラ１４は、再生動作時にＣＭをスキップするＣＭスキップが入力部１８から指示されると、ＲＡＭ１４ｂに記憶されているモード変化の記録位置（アドレス）に基づき、ＣＭスキップが指示された時点の記録位置からＣＭの通常放送時間である３分（所定時間）先までの間にモード変化時の記録位置が有るか否かを確認し、モード変化時の記録位置が有る場合には、その記録位置までＣＭスキップを行う。一方、所定時間である３分先までの間にモード変化時の記録位置が無い場合には、予め設定されている一定時間のＣＭスキップを行う。また、コントローラ１４は、再生動作時に頭出しが指示されると、ＲＡＭ１４ｂに記憶されている基準時刻記録位置（アドレス）に基づき、頭出しが指示された時点の記録位置から最も近い基準時刻記録位置までスキップして通常再生動作を継続する。
【００３８】
以下、コントローラ１４によるＣＭスキップ処理及び頭出し処理について、図４ないし図６に示すフローチャート、及び番組の放送信号の再生の様子を示す図７を参照して詳細に説明する。
【００３９】
＜ＣＭスキップ処理１＞
コントローラ１４は、再生動作時にＣＭをスキップするＣＭスキップが入力部１８から指示されると（ステップＳ１１）、ＲＡＭ１４ｂに記憶されているモード変化記録位置に基づき、ＣＭスキップが指示された時点の位置からＣＭの通常放送時間である３分先までの間にモード変化時の記録位置が有るか否かを検索する（ステップＳ１２，Ｓ１３）。その結果、モード変化時の記録位置が３分先までの間に有る場合（ステップＳ１３でＹｅｓと判断された場合）には、そのモード変化時の記録位置（すなわち、そのＣＭの最後の記録位置）までＣＭスキップを行う（ステップＳ１４）。具体的には、図７（ａ）に示すように、記録位置（アドレスａ０）を再生しているときにＣＭスキップが指示された場合には、その直後のモード変化記録位置であるアドレスａ２まで自動的にＣＭを飛ばす。
【００４０】
一方、所定時間の３分先までの間にモード変化時の記録位置が無かった場合（図７（ａ）に示すアドレスａ０とアドレスａ２との間の実質的な再生時間が３分を超える場合）には、ステップＳ１３でＮｏと判断されるので、従来通り予め設定されている一定時間（例えば、３０秒）だけＣＭスキップを行う（ステップＳ１５）。
【００４１】
＜ＣＭステップ処理２＞
コントローラ１４は、入力部１８からの設定操作により、再生動作時にＣＭをスキップするＣＭスキップモードが予め設定されている場合（ステップＳ２１でＹｅｓと判断された場合）には、モード検出部２１により音声信号のモード変化を常に監視する（ステップＳ２２）。そして、モードが変化した場合（ステップＳ２２でＹｅｓと判断された場合）には、ＲＡＭ１４ｂに記憶されているモード変化記録位置に基づき、その変化した時点の記録位置からＣＭの通常放送時間である３分先までの間にモード変化時の記録位置が有るか否かを検索する（ステップＳ２３，Ｓ２４）。その結果、モード変化時の記録位置が３分先までの間に有る場合（ステップＳ２４でＹｅｓと判断された場合）には、そのモード変化時の記録位置（すなわち、そのＣＭの最後の記録位置）までＣＭスキップを行う（ステップＳ２５）。この場合には、図７（ａ）に示すモード変化記録位置であるアドレスａ１から、その直後のモード変化記録位置であるアドレスａ２まで自動的にＣＭを飛ばすことになる。
【００４２】
一方、所定時間の３分先までの間にモード変化時の記録位置が無かった場合（ステップＳ２４でＮｏと判断された場合）には、ＣＭによるモード変化ではない可能性が高いので、この場合にはそのまま再生動作を継続する（ステップＳ２６）。これにより、本編再生中においてＣＭ部分を確実にスキップすることができる。
【００４３】
＜頭出し処理＞
コントローラ１４は、再生動作時に頭出しが指示されると、ＲＡＭ１４ｂに記憶されている基準時刻記録位置に基づき、頭出しが指示された時点の記録位置から先に、基準時刻記録位置である１５分刻み位置が有るか否かを検索する（ステップＳ３１，Ｓ３２）。その結果、１５分刻み位置が有る場合（ステップＳ３２でＹｅｓと判断された場合）には、次の１５分刻み位置である直近の基準時刻記録位置までスキップして（ステップＳ３３）、その後、通常再生動作を継続する。具体的には、図７（ｂ）に示すように、記録位置（アドレスａ０）を再生しているときに頭出しが指示された場合には、その直近の基準時刻記録位置（１５分刻み位置）であるアドレスｂ３まで自動的に飛ばして、頭出しを行なう。
【００４４】
一方、次の１５分刻み位置が無い場合（ステップＳ３２でＮｏと判断された場合）には、そのまま処理を終了する。
【図面の簡単な説明】
【００４５】
【図１】本発明の情報記録再生装置の一実施形態であるＨＤレコーダ１の電気的構成を示すブロック図である。
【図２】記録動作時の処理手順を示すフローチャートである。
【図３】番組の放送信号の記録の様子を示す説明図であり、（ａ）は音声信号のモード変化点の記録位置（アドレス）を記録する場合、（ｂ）は基準時刻の記録位置（アドレス）を記録する場合を示している。
【図４】ＣＭスキップ処理１の処理手順を示すフローチャートである。
【図５】ＣＭスキップ処理２の処理手順を示すフローチャートである。
【図６】頭出し処理の処理手順を示すフローチャートである。
【図７】番組の放送信号の再生の様子を示す説明図であり、（ａ）はＣＭスキップ処理の場合、（ｂ）は頭出し処理の場合を示している。
【符号の説明】
【００４６】
１  ＨＤレコーダ
１１  受診部
１２  入力制御部
１３  Ａ／Ｄ変換部
１４  コントローラ
１４ａ  ＣＰＵ
１４ｂ  ＲＡＭ
１４ｃ  ＲＯＭ
１５  ＨＤドライブ
１６  Ｄ／Ａ変換部
１７  出力制御部
１８  入力部
１９  ＩＦ部
２０  時計部
２１  モード検出部
【図１】
2006135524.tif 000003
【図２】
2006135524.tif 000004
【図３】
2006135524.tif 000005
【図４】
2006135524.tif 000006
【図５】
2006135524.tif 000007
【図６】
2006135524.tif 000008
【図７】
2006135524.tif 000009